(57)【特許請求の範囲】
【請求項１】
器具本体と、
前記器具本体の中央部に形成されている孔部の内側に位置する、前記器具本体を天井面に取り付けるための取付部と、
前記器具本体の周辺部に設けられるＬＥＤ発光部と、
前記ＬＥＤ発光部へ電力を供給する電源部と、
前記器具本体の中央部に形成されている前記孔部および前記取付部を覆って、前記器具本体に着脱自在に取り付けられる蓋部材と、
光透過性の材料で構成され、かつ前記蓋部材および前記ＬＥＤ発光部を覆うようにして前記器具本体に取り付けられるカバーと、
を備え、
前記ＬＥＤ発光部は、ＬＥＤが設けられるＬＥＤ基板および広角レンズを備え、前記ＬＥＤは、前記ＬＥＤ基板の床面側の面に設けられ、前記広角レンズを通じて、前記ＬＥＤが発する光を出射し、
前記広角レンズから出射される光のうちの、前記器具本体の前記中央部の側に出射される光は、前記カバーの内面の、前記器具本体の中央部を基準とした場合の前記ＬＥＤ発光部とは反対側の領域を照射し、
かつ、前記蓋部材の表面が光を反射する反射面である照明器具。
【請求項２】
請求項１に記載の照明器具において、
前記各ＬＥＤ発光部が環状に形成されているとともに、前記器具本体の前記中央部を中心として光が交差する照明器具。
【請求項３】
請求項１または請求項２に記載の照明器具において、
前記蓋部材が、前記器具本体から突出するとともに前記カバーに対して略平行な平面を有する照明器具。
【発明の詳細な説明】
【技術分野】
【０００１】
本発明は、ＬＥＤ発光部からの光を下方に向けて照射する照明器具に関する。
【背景技術】
【０００２】
従来より、ＬＥＤ光源を有するＬＥＤユニットが用いられた照明器具が知られている（例えば、特許文献１参照）。
図１０および図１１に示すように、特許文献１に記載の照明器具１００は、器具取付面１０１に設置される器具本体１０２と、半導体発光素子からなる光源体１０３と、レンズ体１０４と、反射体１０５と、グローブ１０６とを有する。
照明器具１００は、器具本体１０２の略中央部に、天井等の器具取付面１０１に設置された引掛シーリング１０７に着脱可能に設置されるアダプタ１０８が設けられる。
照明器具１００は、器具取付面１０１に設けられた引掛シーリング１０７にアダプタ１０８を係合することにより、引掛シーリング１０７に電気的および機械的に支持されて設置される。
【０００３】
また、照明器具１００は、アダプタ１０８の周囲の空間部に、光源体１０３を点灯するための点灯装置１０９を有する。
光源体１０３は、直線状に形成されており、器具本体１０２の対向する辺の外縁部に設けられている。
また、反射体１０５は、鉄板等の金属に白色塗装を施した平板状をなし、両端部が２本の光源体１０３、光源体１０３に対向する。反射体１０５は、中間部分から器具本体１０２の略中央部に向かって連続的に徐々に傾斜させた傾斜部１１０を有する。
【０００４】
照明器具１００は、光源体１０３を点灯させることにより、レンズ体１０４により、光が略平行な方向、すなわち、反射体１０５の傾斜部１１０に向かって放射され、さらに反射体１０５で反射してグローブ１０６を内面側から照射する。
これにより、照明器具１００は、部屋全体にわたり略均一な明るさで照明する。
【先行技術文献】
【特許文献】
【０００５】
【特許文献１】特開２００８−３００２０３号公報（図１、段落００２９，００３０）
【発明の概要】
【発明が解決しようとする課題】
【０００６】
しかしながら、特許文献１に記載の従来の照明器具１００は、アダプタ１０８を引掛シーリング１０７に装着することにより器具取付面１０１に取り付ける場合、反射体１０５のアダプタ１０８に対応する部位に開口を設けて開口に蓋を取り付けるようにしている。
そのため、特許文献１に記載の従来の照明器具１００は、蓋の脱着が面倒であるとともに、蓋によって光のむらを生じる場合がある。
【０００７】
本発明は、前述した課題を解決するためになされたものであり、その目的は、光のむらを減少でき、蓋の脱着を容易にできる照明器具を提供することにある。
【課題を解決するための手段】
【０００８】
本発明に係る照明器具は、器具本体と、前記器具本体の中央部に形成されている孔部の内側に位置する、前記器具本体を天井面に取り付けるための取付部と、前記器具本体の周辺部に設けられるＬＥＤ発光部と、前記ＬＥＤ発光部へ電力を供給する電源部と、前記器具本体の中央部に形成されている前記孔部および前記取付部を覆って、前記器具本体に着脱自在に取り付けられる蓋部材と、光透過性の材料で構成され、かつ前記蓋部材および前記ＬＥＤ発光部を覆うようにして前記器具本体に取り付けられるカバーと、を備え、前記ＬＥＤ発光部は、ＬＥＤが設けられるＬＥＤ基板および広角レンズを備え、前記ＬＥＤは、前記ＬＥＤ基板の床面側の面に設けられ、前記広角レンズを通じて、前記ＬＥＤが発する光を出射し、前記広角レンズから出射される光のうちの、前記器具本体の前記中央部の側に出射される光は、前記カバーの内面の、前記器具本体の中央部を基準とした場合の前記ＬＥＤ発光部とは反対側の領域を照射し、かつ、前記蓋部材の表面が光を反射する反射面である。
【０００９】
本発明に係る照明器具は、前記各ＬＥＤ発光部が環状に形成されているとともに、前記器具本体の前記中央部を中心として光が交差する。
【００１０】
本発明に係る照明器具は、前記蓋部材が、前記器具本体から突出するとともに前記カバーに対して略平行な平面を有する。
【発明の効果】
【００１１】
本発明に係る照明器具によれば、光のむらを減少でき、蓋の脱着を容易にできるという効果を奏する。
【図面の簡単な説明】
【００１２】
【図１】本発明に係る第１実施形態の照明器具の分解斜視図
【図２】本発明に係る第１実施形態の照明器具の垂直断面図
【図３】本発明に係る第１実施形態の照明器具の蓋部材の底面図
【図４】図３に示した蓋部材のＡ−Ａ線断面図
【図５】図３に示した蓋部材のＢ−Ｂ線断面図
【図６】本発明に係る第１実施形態の照明器具の蓋部材の取付前の斜め下方から視た外観斜視図
【図７】本発明に係る第１実施形態の照明器具の蓋部材の取付後の斜め下方から視た外観斜視図
【図８】本発明に係る第２実施形態の照明器具の垂直断面図
【図９】本発明に係る第３実施形態の照明器具の垂直断面図
【図１０】従来の照明器具の垂直断面図
【図１１】従来の照明器具の底面図
【発明を実施するための形態】
【００１３】
以下、本発明に係る複数の実施形態の照明器具について図面を参照して説明する。
(第１実施形態)
図１に示すように、本発明に係る第１実施形態の照明器具１０は、器具本体１１と、器具本体１１を天井面（図２参照）９０に取り付けるための取付部１２と、器具本体１１の周辺部１３に設けられた複数のＬＥＤ発光部１４とを備える。
また、照明器具１０は、各ＬＥＤ発光部１４へ電力を供給する電源部（図２参照）１５と、各ＬＥＤ発光部１４を覆うように器具本体１１の周辺部１３に設けられたカバー１６とを備える。
そして、照明器具１０は、器具本体１１の中央部において取付部１２を操作するための孔部１７が設けられており、この孔部１７を閉鎖するものであって取付部１２におけるカバー１６側を着脱自在に覆う蓋部材１８を備える。
【００１４】
照明器具１０は、孔部１７の側部に、リモコン信号が受光される不図示の受光素子を設けていて乳白色の受光素子カバー１９を有するリモコン受光部２０と、不図示のリモコン送信機との機種設定を行うためのチャンネル設定部２１とが取り付けられている。
照明器具１０は、各ＬＥＤ発光部１４がレンズ２２を有する。レンズ２２は、カバー１６の中央部に光成分を配光する広角レンズである。
【００１５】
器具本体１１は、厚みの薄いダイカスト部材等を用いて円板形に形成されている。器具本体１１の床面側の外縁部には、カバー１６を回し止めるための複数のカバー係合部２３が取り付けられている。
器具本体１１は、床面側が反射面として機能する。
【００１６】
ＬＥＤ発光部１４は、円周を四分割するように分離された円弧形状のＬＥＤ基板２４を有する。
ＬＥＤ発光部１４は、ＬＥＤ基板２４の床面側における内周側に封止された複数のＬＥＤ２５およびＬＥＤ基板２４の床面側における外周側に封止された複数のＬＥＤ２６を有する。
【００１７】
ＬＥＤ基板２４は、内周側のＬＥＤ２５に電気的に接続される不図示のプリント回路および外周側のＬＥＤ２６に電気的に接続される不図示のプリント回路を有し、それらプリント回路が電源部１５に独立して電気的に接続される。
なお、内周側の複数のＬＥＤ２５および外周側の複数のＬＥＤ２６は、それぞれ異なる色温度等の特性を有するものを適用できる。
【００１８】
取付部１２は、天井面９０に設置されている引掛シーリング（図２参照）９１に機械的および電気的に接続される取付アダプタであって、電源部１５に電気的に接続される。
電源部１５は、引掛シーリング９１から給電される商用交流電流をＬＥＤ基板２４のプリント回路に直流電源に変換して与えるためのインバータ等の電気部品を内蔵している。
カバー１６は、例えば乳白色の樹脂製であって、器具本体１１のカバー係合部２３に回し止めされる。
【００１９】
レンズ２２は、透光性を有する樹脂製であって、内周側の複数のＬＥＤ２５を覆う内周側レンズ部２７および外周側の複数のＬＥＤ２６を覆う外周側レンズ部２８を有する円環形状に形成されている。
レンズ２２は、内周側レンズ部２７と外周側レンズ部２８との間に凹部２９を有する。
レンズ２２は、内周側のＬＥＤ２５および外周側のＬＥＤ２６とともにＬＥＤ発光部１４を構成する。
【００２０】
孔部１７は、取付部１２の外径寸法よりも十分に大きい内径寸法を有する小判形状に形成されている。
蓋部材１８は、孔部１７の内径寸法よりも大きい外径寸法を有する小判形状の外形であって、係合部（図５参照）３０を介して孔部１７に回し止めされることにより、孔部１７に着脱自在に取り付けられる。
そのため、蓋部材１８は、取り外されることにより、孔部１７の内部に配置される取付部１２を操作することができる。
【００２１】
図２に示すように、照明器具１０は、器具本体１１の孔部１７の外側における下面に電源部１５が配置されている。
ＬＥＤ発光部１４は、内周側のＬＥＤ２５および外周側のＬＥＤ２６が環状に配置されるために、点灯により発光された光成分が、レンズ２２を通じて器具本体１１の孔部１７を中心として対照に交差する。
従って、環状に配置されたＬＥＤ発光部１４からレンズ２２を通じて出射された光成分を均一な光量にして照射できる。
【００２２】
次に、蓋部材１８の構造について詳細に説明する。
図３に示すように、蓋部材１８は、樹脂材料の射出成形により形成されており、底部に配置された平面３１と、平面３１の周囲に接続された斜面３２とを有する。
また、蓋部材１８は、平面３１の長辺部分に斜面３２を介して接続された一対の長辺３３と、平面３１の短辺部分に斜面３２を介して接続された一対の円弧辺３４と、一対の長辺３３および一対の円弧辺３４に接続されたフランジ３５とを有する。
そして、蓋部材１８は、平面３１と、斜面３２と、一対の長辺３３と、一対の円弧辺３４と、フランジ３５との表面に反射面３６を有する。
【００２３】
従って、蓋部材１８は、反射面３６により、ＬＥＤ発光部１４の点灯により発光された光成分を反射させてカバー１６に影ができないようにできる。
蓋部材１８は、器具本体１１の孔部１７に取り付けられた状態において、長辺３３および円弧辺３４に斜面３２を介して平面３１が接続されているために、全体としてカバー１６に向かって先細りに形成される。
従って、蓋部材１８は、ＬＥＤ発光部１４の点灯により発光された光成分の進行を妨げないようにできる。
蓋部材１８は、係合部３０の位置に対応するフランジ３５に一対の目印３７を有する。
【００２４】
図４に示すように、蓋部材１８は、平面３１と一対の長辺３３との間の斜面３２が、平面３１に対して角度θ１で傾斜している。
図５に示すように、蓋部材１８は、平面３１と一対の円弧辺３４との間の斜面３２が、平面３１に対して角度θ１で傾斜している。
そして、蓋部材１８は、フランジ３５における一対の円弧辺３４の中央部に対応する位置に一対の係合部３０が形成されている。
【００２５】
蓋部材１８は、器具本体１１の孔部１７に取り付けられた状態において、床面側に突出して、平面３１がカバー１６に対して略平行に配置される。
従って、カバー１６に向けて進行されるＬＥＤ発光部１４からの光成分の進行を妨げないようにできる。
【００２６】
次に、器具本体１１の孔部１７の詳細構造および蓋部材１８の取付手順について説明する。
図６に示すように、器具本体１１の孔部１７の内周部には、蓋部材１８の一対の係合部３０を係合させるための一対の係合部受３８が形成されている。
【００２７】
蓋部材１８の取り付けにあたり、まず、係合部３０を上方に向けた蓋部材１８を器具本体１１の孔部１７の下方に配置する。
そして、蓋部材１８の一対の目印３７を孔部１７の小判形状の円弧部分の中央部に合わせながら、蓋部材１８の一対の係合部３０を一対の係合部受３８に挿入させていく。
このとき、一対の係合部３０は、一対の係合部受３８に挿入されただけであり、係合はされていない。
【００２８】
図７に示すように、次に、蓋部材１８の一対の係合部３０が一対の係合部受３８に挿入された状態において、蓋部材１８を例えば図３中の時計回転方向に回動させる。
蓋部材１８が図３中の時計回転方向に回動されることにより、蓋部材１８の一対の係合部３０が一対の係合部受３８に係合される。
これにより、蓋部材１８は、孔部１７を閉鎖して器具本体１１に取り付けられる。
【００２９】
ここで、蓋部材１８の平面視における一方の長辺３３の側面の近傍に、チャンネル設定部２１およびリモコン受光部２０が配置される。
そして、リモコン受光部２０の受光素子カバー１９の器具本体１１からの突出寸法が、蓋部材１８における長辺３３の高さ寸法よりも低く設定されている。
従って、ＬＥＤ発光部１４の点灯によって発光された光成分により影ができないとともに、ＬＥＤ発光部１４の点灯によって発光された光成分のリモコン受光部２０への影響を防止できる。
【００３０】
次に、蓋部材１８の取り外しにあたり、蓋部材１８を例えば図３中の反時計回転方向に回動させる。
蓋部材１８が図３中の反時計回転方向に回動されることにより、蓋部材１８の一対の係合部３０が一対の係合部受３８から外れて、蓋部材１８が孔部１７から取り外される。
従って、蓋部材１８は、孔部１７への取り付けおよび取り外しをワンタッチで行えるために、着脱を容易にできる。
【００３１】
次に、照明器具１０の光学的な特性について説明する。
図２に戻り、引掛シーリング９１から電源部１５に給電されることにより、ＬＥＤ発光部１４の内周側のＬＥＤ２５および外周側のＬＥＤ２６から発光された光成分が、レンズ２２を通じて器具本体１１の孔部１７を中心として対照に交差する。
このとき、蓋部材１８に向かった光成分は、蓋部材１８において、平面３１と、斜面３２と、一対の長辺３３と、一対の円弧辺３４と、フランジ３５とに有する反射面３６により反射される。
そのため、蓋部材１８により、カバー１６に影ができない。
【００３２】
以上、説明した本発明に係る第１実施形態の照明器具１０によれば、蓋部材１８の反射面３６により、ＬＥＤ発光部１４の点灯により発光された光成分を反射させてカバー１６に影を作らないので、光のむらを減少できる。
また、照明器具１０によれば、蓋部材１８が、係合部３０を係合部受３８に回し止めるだけなので、孔部１７への取り付けおよび取り外しをワンタッチで行えるために、着脱を容易にできる。
【００３３】
照明器具１０によれば、環状に配置されたＬＥＤ発光部１４からレンズ２２を通じて出射された光成分を均一な光量にして照射できる。
【００３４】
照明器具１０によれば、カバー１６に向けて進行されるＬＥＤ発光部１４からの光成分の進行を妨げないようにできる。
【００３５】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００３６】
図８に示すように、本発明に係る第２実施形態の照明器具４０は、床面に向けて凸の凸面４２が一対の長辺３３および一対の円弧辺３４に接続されて反射面４３を形成する蓋部材４１を取付部１２におけるカバー１６側に備える。
照明器具４０は、ＬＥＤ発光部１４の内周側のＬＥＤ２５および外周側のＬＥＤ２６から発光された光成分が、レンズ２２を通じて器具本体１１の孔部１７を中心として対照に交差する。
このとき、蓋部材４１に向かった光成分のうちの凸面４２に向かった光成分は、凸面４２の反射面４３により積極的に反射される。
【００３７】
第２実施形態の照明器具４０によれば、蓋部材４１に向かった光成分のうちの凸面４２に向かった光成分が凸面４２の反射面４３により積極的に反射されるために、蓋部材４１における光量の中落ちを減少させて効率よく照射できる。
【００３８】
（第３実施形態）
次に、本発明に係る第３実施形態の照明器具について説明する。
図９に示すように、本発明に係る第３実施形態の照明器具５０は、床面に向けて凹の凹面５２が一対の長辺３３および一対の円弧辺３４に接続され、凹面５２の中央部に床面に向けて凸の凸面５３が接続されて反射面５４を形成する蓋部材５１を備える。
照明器具５０は、ＬＥＤ発光部１４の内周側のＬＥＤ２５および外周側のＬＥＤ２６から発光された光成分が、レンズ２２を通じて器具本体１１の孔部１７を中心として対照に交差する。
このとき、蓋部材５１に向かった光成分のうちの凹面５２に向かった光成分は、凹面５２の反射面５４により集光され、蓋部材５１に向かった光成分のうちの凸面５３に向かった光成分は、凸面５３の反射面５４により積極的に反射される。
【００３９】
第３実施形態の照明器具５０によれば、蓋部材５１の凹面５２に向かった光成分が集光され、蓋部材５１の凸面５３に向かった光成分が積極的に反射されるために、蓋部材５１における光量の中落ちを減少させて効率よく照射できる。
【００４０】
なお、本発明の照明器具においてＬＥＤ発光部，取付部，電源部，カバー等は、前述した各実施形態に限定されるものでなく、適宜な変形や改良等が可能である。
【符号の説明】
【００４１】
１０，４０，５０  照明器具
１１  器具本体
１２  取付部
１３  周辺部
１４  ＬＥＤ発光部
１５  電源部
１６  カバー
１８，４１，５１  蓋部材
３１  平面
【図１】
0005877353.tif 000002
【図２】
0005877353.tif 000003
【図３】
0005877353.tif 000004
【図４】
0005877353.tif 000005
【図５】
0005877353.tif 000006
【図６】
0005877353.tif 000007
【図７】
0005877353.tif 000008
【図８】
0005877353.tif 000009
【図９】
0005877353.tif 000010
【図１０】
0005877353.tif 000011
【図１１】
0005877353.tif 000012